(57)【要約】【課題】分解と組み立てが容易な電気治療器と、イオン化する成分を含まない治療用薬剤を用いた薬用布にも使用できる電気治療器を提供することである。【解決手段】間隔を設けた両電極板１、２間に、正極３ａと負極３ｂが反対側に設けられた固形電池であるボタン電池３を配設し、このボタン電池３の正極３ａ側に導電性の板ばね４を介在させて両電極板１、２との導通を確保し、両電極板１、２の外周側に絶縁性の環状シール部材５を装着することにより、両電極板１、２、ボタン電池３および板ばね４を単純な積層構造として、分解と組み立てを容易にできるようにした。【選択図】図１
2006158579.tif 000002
【特許請求の範囲】
【請求項１】
イオン化する成分を含む治療用薬剤が含浸または塗布された薬用布の皮膚当て面に貼付される正電極板と、皮膚に当接される負電極板との板面間に間隔を設け、この間隔を設けた両電極板間に、正極と負極が反対側に設けられた固形電池をこれらの正極と負極をそれぞれ前記正電極板と負電極板とに向けて配設し、この固形電池の正極側または負極側の少なくともいずれかに導電性のばね部材を介在させて前記両電極板との導通を確保し、両電極板の外周側に絶縁性の環状シール部材を装着した電気治療器。
【請求項２】
前記環状シール部材を弾性体で形成して、その内周に前記両電極板の外周縁を係止する溝を設けた請求項１に記載の電気治療器。
【請求項３】
前記環状シール部材の環状部の幅を３ｍｍ以上とした請求項１または２に記載の電気治療器。
【請求項４】
前記皮膚当て面に貼付される正電極板を銅板で形成し、その薬用布への貼付側表面に、耐食性を有する金めっきを施した請求項１乃至３のいずれかに記載の電気治療器。
【請求項５】
治療用薬剤が含浸または塗布された薬用布の皮膚当て面に貼付される正電極板と、皮膚に当接される負電極板との板面間に間隔を設け、この間隔を設けた両電極板間に、電池の正極と負極をそれぞれ前記正電極板と負電極板に向けて配設し、前記両電極板の外周側に絶縁性の環状シール部材を装着して、この環状シール部材の外周側へ前記正電極板を張り出させ、この張り出し部を皮膚に当接させるようにした電気治療器。
【請求項６】
前記正電極板の張り出し部を、前記環状シール部材の外周側で環状に連結した請求項５に記載の電気治療器。
【請求項７】
前記環状シール部材の外周側へ張り出させた正電極板をチタン板で形成した請求項５または６に記載の電気治療器。
【請求項８】
前記両電極板間に配設される電池を正極と負極が反対側に設けられた固形電池とし、この固形電池の正極側または負極側の少なくともいずれかに導電性のばね部材を介在させて前記両電極板との導通を確保した請求項５乃至７のいずれかに記載の電気治療器。
【請求項９】
前記固形電池を扁平なボタン電池またはペーパ電池とした請求項１乃至４および８のいずれかに記載の電気治療器。
【請求項１０】
前記両電極板の中央部を外方へ膨出させ、前記固形電池をこの膨出部に配設した請求項１乃至４、８および９のいずれかに記載の電気治療器。
【請求項１１】
前記固形電池の外周に絶縁性の弾性リングを嵌着し、この弾性リングを前記両電極板の外周部で挟持するようにした請求項１乃至４および請求項８乃至１０のいずれかに記載の電気治療器。
【請求項１２】
前記ばね部材を、導電性の金属板に弾性力で起き上がる爪を切り起こしたものとした請求項１乃至４および請求項８乃至１１のいずれかに記載の電気治療器。
【請求項１３】
前記導電性のばね部材を、電気抵抗値の異なるものと交換可能とした請求項１乃至４および請求項８乃至１２のいずれかに記載の電気治療器。
【請求項１４】
前記皮膚に当接される負電極板をチタン板で形成した請求項１乃至１３のいずれかに記載の電気治療器。
【請求項１５】
前記電池の電圧を１．５Ｖ以下とした請求項１乃至１４のいずれかに記載の電気治療器。
【発明の詳細な説明】
【技術分野】
【０００１】
本発明は、イオン浸透療法のための電気治療器に関するものである。
【背景技術】
【０００２】
神経痛や肩こり等の治療法として、薬剤成分をイオン化して皮膚から体内に吸収させるイオン浸透療法が知られている。このイオン浸透療法を簡便に行える電気治療器として、本発明者らは、一次電池を形成する正負の電極を絶縁部材で絶縁して、皮膚に当接される電極面を除いて一次電池を覆う外包材の内側に形成した間隙に、電導性を付加した流動性の治療用薬剤を充填し、この薬剤を充填した間隙を、皮膚に当接される電極面に接着した剥離可能なカバーシートで密閉したものを以前に開発した（特許文献１参照）。
【０００３】
この電気治療器は、別途の電源を必要とせず、電池を覆う外包材を皮膚に当てるのみでイオン浸透療法の効果をあげることができるが、外包材の内側に形成した間隙に治療用薬剤を充填する必要があるので、構造が複雑で製造に手間がかかる問題があった。また、充填された薬剤が使用する前から一方の電極（正極）と接触する状態で保管されるので、保管中に電池の起電力が低下したり、正極に使用される金属片が薬剤で腐食されたりする問題もあった。
【０００４】
これらの問題に対して、本発明者らは、イオン化する成分を含む治療用薬剤が含浸または塗布された薬用布の皮膚当て面に貼付される正電極板と、皮膚に当接される負電極板との板面間に間隔を設け、この間隔を設けた両電極板間に電解液を介在させ、電解液を介在させた電池の両電極板間の外周部を絶縁性の環状シール部材でシールした電気治療器を先に提案している（特願２００４−２９７８号）。
【０００５】
【特許文献１】特公平３−６９５４５号公報（第２−３頁、第１−３図）
【発明の開示】
【発明が解決しようとする課題】
【０００６】
特願２００４−２９７８号で提案した電気治療器は、薬用布の治療用薬剤が含浸または塗布された皮膚当て面に、電池の正電極板を貼付し、その負電極板を皮膚に当接させるのみで、薬剤面の薬剤成分がイオン化して皮膚から吸収されるので、十分なイオン浸透療法効果が得られ、かつ、保管中に機能が劣化することもないが、両電極板間に電解液を介在させた一体構造となっているため、分解と組み立てが困難で、電池や部品を交換できない問題がある。
【０００７】
また、従来の電気治療器は、イオン化する成分を含まない治療用薬剤を用いた薬用布には使用できない問題もある。
【０００８】
そこで、本発明の課題は、分解と組み立てが容易な電気治療器と、イオン化する成分を含まない治療用薬剤を用いた薬用布にも使用できる電気治療器を提供することである。
【課題を解決するための手段】
【０００９】
上記の課題を解決するために、本発明の電気治療器は、イオン化する成分を含む治療用薬剤が含浸または塗布された薬用布の皮膚当て面に貼付される正電極板と、皮膚に当接される負電極板との板面間に間隔を設け、この間隔を設けた両電極板間に、正極と負極が反対側に設けられた固形電池をこれらの正極と負極をそれぞれ前記正電極板と負電極板とに向けて配設し、この固形電池の正極側または負極側の少なくともいずれかに導電性のばね部材を介在させて前記両電極板との導通を確保し、両電極板の外周側に絶縁性の環状シール部材を装着した構成を採用した。
【００１０】
すなわち、間隔を設けた両電極板間に、正極と負極が反対側に設けられた固形電池をこれらの正極と負極をそれぞれ前記正電極板と負電極板とに向けて配設し、この固形電池の正極側または負極側の少なくともいずれかに導電性のばね部材を介在させて両電極板との導通を確保し、両電極板の外周側に絶縁性の環状シール部材を装着することにより、両電極板、固形電池およびばね部材を単純な積層構造として、分解と組み立てを容易に行なえるようにした。
【００１１】
前記環状シール部材を弾性体で形成して、その内周に前記両電極板の外周縁を係止する溝を設けることにより、環状シール部材を工具なしで簡単に取り外すことができ、分解と組み立てをさらに容易に行なうことができる。
【００１２】
前記環状シール部材の環状部の幅を３ｍｍ以上とすることにより、皮膚に過電流が流れるのを防止して、火傷の恐れをなくすことができる。
【００１３】
前記皮膚当て面に貼付される正電極板を銅板で形成し、その薬用布への貼付側表面に、耐食性を有する金めっきを施すことにより、薬用布の薬剤による正電極板の腐食を防止することができる。
【００１４】
また、本発明の電気治療器は、治療用薬剤が含浸または塗布された薬用布の皮膚当て面に貼付される正電極板と、皮膚に当接される負電極板との板面間に間隔を設け、この間隔を設けた両電極板間に、電池の正極と負極をそれぞれ前記正電極板と負電極板に向けて配設し、前記両電極板の外周側に絶縁性の環状シール部材を装着して、この環状シール部材の外周側へ前記正電極板を張り出させ、この張り出し部を皮膚に当接させる構成も採用した。
【００１５】
すなわち、間隔を設けた両電極板間に、電池の正極と負極をそれぞれ正電極板と負電極板に向けて配設し、両電極板の外周側に絶縁性の環状シール部材を装着して、この環状シール部材の外周側へ正電極板を張り出させ、この張り出し部を皮膚に当接させることにより、薬用布の治療用薬剤がイオン化する成分を含まなくても、皮膚に当接させる正負の電極板間に電流が流れるようにし、薬剤成分が皮膚から体内に吸収されるようにした。
【００１６】
前記正電極板の張り出し部を、前記環状シール部材の外周側で環状に連結することにより、この正電極板の環状部とその中心側の負電極板との間で広い範囲の皮膚に電流が流れるようにし、薬剤成分を皮膚の広い範囲から体内に吸収させることができる。
【００１７】
前記環状シール部材の外周側へ張り出させた正電極板をチタン板で形成することにより、当接される皮膚に無害なものとすることができる。
【００１８】
前記両電極板間に配設される電池を正極と負極が反対側に設けられた固形電池とし、この固形電池の正極側または負極側の少なくともいずれかに導電性のばね部材を介在させて前記両電極板との導通を確保することにより、両電極板、電池およびばね部材を単純な積層構造として、分解と組み立てを容易に行なうことができる。
【００１９】
前記固形電池を扁平なボタン電池またはペーパ電池とすることにより、電気治療器を厚みの薄い扁平なものとして、皮膚に装着したときの違和感をなくすことができる。
【００２０】
前記両電極板の中央部を外方へ膨出させ、前記固形電池をこの膨出部に配設することにより、電池を両電極板の間に安定して保持することができる。
【００２１】
前記固形電池の外周に絶縁性の弾性リングを嵌着し、この弾性リングを両電極板の外周部で挟持することにより、両電極板の外周部での短絡を防止するとともに、固形電池のがたつきをなくすことができる。
【００２２】
前記ばね部材を、導電性の金属板に弾性力で起き上がる爪を切り起こしたものとすることにより、ばね部材を薄くてコンパクトなものとすることができる。
【００２３】
前記導電性のばね部材を、電気抵抗値の異なるものと交換可能とすることにより、正負の電極板間の電圧を調整して、電気治療の強さを調節することができる。
【００２４】
前記皮膚に当接される負電極板をチタン板で形成することにより、当接される皮膚に無害なものとすることができる。
【００２５】
前記電池の電圧を１．５Ｖ以下とすることにより、火傷の恐れをなくすことができる。
【発明の効果】
【００２６】
本発明の電気治療器は、間隔を設けた両電極板間に、正極と負極が反対側に設けられた固形電池をこれらの正極と負極をそれぞれ前記正電極板と負電極板とに向けて配設し、この固形電池の正極側または負極側の少なくともいずれかに導電性のばね部材を介在させて両電極板との導通を確保し、両電極板の外周側に絶縁性の環状シール部材を装着することにより、両電極板、固形電池およびばね部材を単純な積層構造としたので、分解と組み立てを容易に行うことができ、固形電池や部品を簡単に交換することができる。また、固形電池については、消耗したときの交換用や、電圧の異なる電気治療の強さ調節用等のためのスペアを商品に付けて供給することもできる。
【００２７】
前記環状シール部材を弾性体で形成して、その内周に前記両電極板の外周縁を係止する溝を設けることにより、環状シール部材を工具なしで簡単に取り外すことができ、分解と組み立てをさらに容易に行なうことができる。
【００２８】
前記環状シール部材の環状部の幅を３ｍｍ以上とすることにより、皮膚に過電流が流れるのを防止して、火傷の恐れをなくすことができる。
【００２９】
前記皮膚当て面に貼付される正電極板を銅板で形成し、その薬用布への貼付側表面に、耐食性を有する金めっき被膜を設けることにより、薬用布の薬剤による正電極板の腐食を防止することができる。
【００３０】
また、本発明の電気治療器は、間隔を設けた両電極板間に、電池の正極と負極をそれぞれ正電極板と負電極板に向けて配設し、両電極板の外周側に絶縁性の環状シール部材を装着して、この環状シール部材の外周側へ正電極板を張り出させ、この張り出し部を皮膚に当接させる構成も採用したので、薬用布の治療用薬剤がイオン化する成分を含まなくても、皮膚に当接させる正負の電極板間に電流が流れるようにし、薬剤成分が皮膚から体内に吸収されるようにすることができる。
【００３１】
前記正電極板の張り出し部を、前記環状シール部材の外周側で環状に連結することにより、この正電極板の環状部とその中心側の負電極板との間で広い範囲の皮膚に電流が流れるようにし、薬剤成分を皮膚の広い範囲から体内に吸収させることができる。
【００３２】
前記環状シール部材の外周側へ張り出させた正電極板をチタン板で形成することにより、当接される皮膚に無害なものとすることができる。
【００３３】
前記両電極板間に配設される電池を正極と負極が反対側に設けられた固形電池とし、この固形電池の正極側または負極側の少なくともいずれかに導電性のばね部材を介在させて前記両電極板との導通を確保することにより、両電極板、電池およびばね部材を単純な積層構造として、分解と組み立てを容易に行なうことができる。
【００３４】
前記固形電池を扁平なボタン電池またはペーパ電池とすることにより、電気治療器を厚みの薄い扁平なものとして、皮膚に装着したときの違和感をなくすことができる。
【００３５】
前記両電極板の中央部を外方へ膨出させ、固形電池をこの膨出部に配設することにより、電池を両電極板の間に安定して保持することができる。
【００３６】
前記固形電池の外周に絶縁性の弾性リングを嵌着し、この弾性リングを両電極板の外周部で挟持することにより、両電極板の外周部での短絡を防止するとともに、固形電池のがたつきをなくすことができる。
【００３７】
前記ばね部材を、導電性の金属板に弾性力で起き上がる爪を切り起こしたものとすることにより、ばね部材を薄くてコンパクトなものとすることができる。
【００３８】
前記導電性のばね部材を、電気抵抗値の異なるものと交換可能とすることにより、正負の電極板間の電圧を調整して、電気治療の強さを調節することができる。
【００３９】
前記皮膚に当接される負電極板をチタン板で形成することにより、当接される皮膚に無害なものとすることができる。
【００４０】
前記電池の電圧を１．５Ｖ以下とすることにより、火傷の恐れをなくすことができる。
【発明を実施するための最良の形態】
【００４１】
以下、図面に基づき、本発明の実施形態を説明する。図１乃至図３は、第１の実施形態を示す。この電気治療器は、図１（ａ）、（ｂ）に示すように、外側表面に金めっきを施した銅板で形成された正電極板１と、チタン板で形成された負電極板２との板面間に間隔を設けて、この間隔を設けた両電極板１、２間に、正極３ａと負極３ｂが反対側に設けられた固形電池であるボタン電池３を、正極３ａと負極３ｂをそれぞれ正電極板１と負電極板２に向けて配設し、ボタン電池３の正極３ａ側に導電性の板ばね４を介在させて両電極板１、２との導通を確保し、両電極板１、２の外周側に、絶縁性の環状シール部材５を装着したものである。
【００４２】
前記両電極板１、２の中央部は外方へ膨出され、この膨出部に配設されたボタン電池３の外周に絶縁性のゴム製弾性リング６が嵌着されて、弾性リング６が両電極板１、２の外周部で挟持されている。したがって、ボタン電池３が両電極板１、２の間でがたつくことはなく、両電極板１、２が外周部で短絡する恐れもない。ボタン電池３の電圧は、火傷の恐れがないように１．５Ｖ以下とされている。
【００４３】
前記環状シール部材５は、弾性体であるシリコーンゴムで形成され、弾性リング６を挟持した両電極板１、２の外周縁を差し込み係止する溝５ａが内周に設けられている。したがって、環状シール部材５は工具なしで容易に着脱でき、両電極板１、２、ボタン電池３および板ばね４はその内周側で積層されたのみであるので、この電気治療器は簡単に分解と組み立てを行なうことができ、ボタン電池３等の交換も容易に行なうことができる。
【００４４】
また、前記環状シール部材５の環状部は、後述するように、皮膚Ａに当接される下面がフラットとされ、薬用布７に貼付される上面が滑らかに外周側へ下降するように傾斜しており、その幅は３ｍｍ以上とされている。
【００４５】
前記板ばね４は燐青銅の円板でボタン電池３とほぼ等径に形成され、弾性力で起き上がって正電極板１に押圧される爪４ａが切り起こしで形成されている。この爪４ａの押圧反力によって、ボタン電池３の負極３ｂも負電極板２に押し付けられ、ボタン電池３の両電極板１、２との導通が確保される。また、板ばね４を電気抵抗値の異なるものと交換することにより、正負の電極板１、２間の電圧を調整して、電気治療の強さを調節することもできる。
【００４６】
図２（ａ）は、前記電気治療器を使用するために、イオン化する成分を含む治療用薬剤７ａを塗布した薬用布７の皮膚当て面に貼付した状態を示す。電気治療器は、皮膚に当てられる負電極板２が露出するように、正電極板１が薬用布７の皮膚当て面に貼付されている。なお、必要に応じて、図２（ｂ）に示すように、複数の電気治療器を適宜の間隔で薬用布７に貼付してもよい。
【００４７】
図３は、前記電気治療器を貼付した薬用布７を皮膚Ａに当てた状態を示す。薬用布７は正電極板１とその外周側に装着された環状シール部材５の上面に滑らかに沿わされて皮膚Ａを覆い、負電極板２が皮膚Ａに当接されている。電気治療器で形成される電気回路は、図中に矢印で示すように、正電極板１から薬用布７の皮膚当て面と皮膚Ａを経由して負電極板２へ電流が流れるように形成され、薬用布７の皮膚当て面に塗布された薬剤７ａの成分がイオン化して、皮膚Ａから体内に吸収される。前述したように、皮膚Ａに当接された環状シール部材５の環状部による絶縁幅は３ｍｍ以上とされているので、皮膚に過電流が流れて火傷を生じる恐れはない。
【００４８】
図４および図５は、第２の実施形態を示す。この電気治療器は、図４（ａ）、（ｂ）に示すように、基本的な構成は第１の実施形態のものと同じであり、正電極板１がチタン板で形成され、この正電極板１に外周側へ四方に張り出す張り出し部１ａが設けられ、環状シール部材５の環状部を貫通した各張り出し部１ａの先端が環状部１ｂで連結されている点のみが異なる。なお、各張り出し部１ａは環状シール部材５に設けられた張り出し部５ｂで覆われている。
【００４９】
図５に示すように、この実施形態では、正電極板１の環状部１ｂが皮膚Ａに当接されるので、薬用布７の治療用薬剤７ａがイオン化する成分を含まなくても、電流が正電極板１の環状部１ｂから皮膚Ａを経由して負電極板２へ流れ、薬剤成分が皮膚Ａから体内に吸収される。また、この電流は、環状シール部材５の外周側に張り出す正電極板１の環状部１ｂから、環状シール部材５の内周側で皮膚Ａに当接する負電極板２へ広い範囲で流れるので、薬剤成分が広い範囲の皮膚Ａから吸収される。
【００５０】
上述した第２の実施形態では、両電極板の間に配設される電池を、固形電池ではなく、両電極板の間に電解液を介在させたものとしてもよい。
【００５１】
上述した各実施形態では、固形電池をボタン電池としたが、固形電池はボタン電池に限定されることはなく、正極と負極が反対側に設けられたものであればよい。固形電池として近年開発されているペーパ電池を用いれば、電気治療器の厚みをさらに薄くすることができる。
【００５２】
また、上述した各実施形態では、固形電池の両電極板への導通を確保するばね部材を切り起こし爪を有する板ばねとしたが、このばね部材は実施形態のものに限定されることはなく、任意の形態のものを用いることができる。ただし、電気治療器の厚みを薄くするためには、板ばねのように扁平なものが好ましい。さらに、正負の電極板や環状シール部材の材質も実施形態のものに限定されることはない。
【図面の簡単な説明】
【００５３】
【図１】ａは第１の実施形態の電気治療器を示す縦断面図、ｂはａの分解斜視図
【図２】ａは図１の電気治療器を薬用布に貼付した状態を示す平面図、ｂは複数の電気治療器を薬用布に貼付した状態を示す平面図
【図３】図１の電気治療器を使用する状態を示す縦断面図
【図４】ａは第２の実施形態の電気治療器を示す縦断面図、ｂはａの平面図
【図５】図４の電気治療器を使用する状態を示す縦断面図
【符号の説明】
【００５４】
１  正電極板
１ａ  張り出し部
１ｂ  環状部
２  負電極板
３  ボタン電池
３ａ  正極
３ｂ  負極
４  板ばね
４ａ  爪
５  環状シール部材
５ａ  溝
５ｂ  張り出し部
６  弾性リング
７  薬用布
７ａ  薬剤
【図１】
2006158579.tif 000003
【図２】
2006158579.tif 000004
【図３】
2006158579.tif 000005
【図４】
2006158579.tif 000006
【図５】
2006158579.tif 000007